(57)【要約】【課題】端子と相手方端子とが係合し、端子と相手方端子との接触状態が確実に維持され、コネクタと相手方コネクタとの嵌合が確実に維持され、信頼性が高くなるようにする。【解決手段】ハウジング１１と、該ハウジング１１に保持される端子とを備え、前記ハウジング１１は、平板状の端子保持部と、該端子保持部の下面１２ｂに開口する接触部収容開口１５とを含み、前記端子は、本体部と、該本体部の前端に接続され、下方に突出するＵ字状の形状を有する接触部と、該接触部の前端に接続された先端部とを含み、前記接触部は、下方に向いて延出する一対の脚部と、該脚部の下端を連結する底部とを含み、前記本体部及び先端部は前記端子保持部に一体的に接続されて保持され、前記接触部は前記接触部収容開口１５内に収容される。【選択図】図１
2019129137.tif 000002
【特許請求の範囲】
【請求項１】
ハウジングと、該ハウジングに保持される端子とを備え、
前記ハウジングは、平板状の端子保持部と、該端子保持部の下面に開口する接触部収容開口とを含み、
前記端子は、本体部と、該本体部の前端に接続され、下方に突出するＵ字状の形状を有する接触部と、該接触部の前端に接続された先端部とを含み、前記接触部は、下方に向いて延出する一対の脚部と、該脚部の下端を連結する底部とを含み、
前記本体部及び先端部は前記端子保持部に一体的に接続されて保持され、前記接触部は前記接触部収容開口内に収容されることを特徴とするコネクタ。
【請求項２】
前記端子は、板厚方向に屈曲した金属板から成る請求項１に記載のコネクタ。
【請求項３】
前記端子は、前記脚部が相手方端子と接触する請求項１又は２に記載のコネクタ。
【請求項４】
一対の脚部の一方は他方よりも幅広の主接触部である請求項３に記載のコネクタ。
【請求項５】
前記底部は、左右両側から幅方向外側に向けて突出する係合突部を含んでいる請求項１〜４のいずれか１項に記載のコネクタ。
【請求項６】
前記底部は前記端子保持部の下面より下方に突出する請求項１〜５のいずれか１項に記載のコネクタ。
【請求項７】
請求項１〜６のいずれか１項に記載のコネクタと嵌合可能な相手方コネクタであって、相手方ハウジングと、該相手方ハウジングに保持される相手方端子とを備え、
前記相手方ハウジングは、平板状の相手方端子保持部と、端子収容開口とを含み、
前記相手方端子は、本体部と、該本体部の前端に接続され、前記相手方端子の板厚方向に貫通する接触開口を有する接触部と、該接触部の前端に接続された先端部とを含み、
前記本体部及び先端部は前記相手方端子保持部に一体的に接続されて保持され、前記接触部は前記端子収容開口内に収容され、
前記コネクタが嵌合すると、前記接触開口の両側に位置する一対の開口腕部が前記脚部を挟持する相手方コネクタ。
【請求項８】
請求項１〜６のいずれか１項に記載のコネクタと、該コネクタと嵌合可能な相手方コネクタと、から成るコネクタ組立体。
【発明の詳細な説明】
【技術分野】
【０００１】
本開示は、コネクタ、相手方コネクタ及びコネクタ組立体に関するものである。
【背景技術】
【０００２】
従来、一対の平行な回路基板同士を電気的に接続するために、基板対基板コネクタ等のコネクタが使用されている。このようなコネクタは、一対の回路基板における相互に対向する面の各々に取付けられ、互いに嵌合して導通するようになっているが、低背化の要求に応じるため、各コネクタは薄板状となるように形成されている。そして、一方のコネクタの端子は、相手方コネクタに向けて突出するピン状の突出部を有する。（例えば、特許文献１参照。）。
【０００３】
図２８は従来のコネクタの二面図である。なお、図において、（ａ）は平面図、（ｂ）は側面図である。
【０００４】
図において、８１１は、図示されない回路基板に実装されるコネクタのハウジングであり、平坦な底板部８１２を有する。また、端子８５１は、ハウジング８１１の幅方向に延在する細長い板状の端子であり、各端子８５１の上面には上方に向けて突出するピン状の突出部８５３が形成されている。前記端子８５１は、インサート成形によってハウジング８１１の底板部８１２内に埋込まれている。また、該底板部８１２には矩形孔８１３が形成され、端子８５１の突出部８５３は、前記矩形孔８１３内に位置する。
【０００５】
そして、前記コネクタが図示されない相手方コネクタと嵌合すると、各端子８５１の突出部８５３は、対応する相手方端子に形成された挿入孔内に挿入されて接触する。これにより、各端子８５１は対応する相手方端子と導通する。
【先行技術文献】
【特許文献】
【０００６】
【特許文献１】特開２０１４−１３７９８９号公報
【発明の概要】
【発明が解決しようとする課題】
【０００７】
しかしながら、前記従来のコネクタにおいては、端子８５１の上面から上方に向けて突出するピン状の突出部８５３が相手方端子に形成された挿入孔内に挿入されるようになっているので、各端子８５１を対応する相手方端子と係合させることができない。そのため、コネクタと相手方コネクタとの嵌合を解除する方向の外力を受けた場合、突出部８５３が挿入孔から容易に抜出てしまい、端子８５１と相手方端子とが容易に離間し、端子８５１と相手方端子との接続状態が切断されてしまう。また、端子８５１と相手方端子とが離間するので、コネクタと相手方コネクタとの嵌合も容易に解除されてしまう。
【０００８】
ここでは、前記従来のコネクタの問題点を解決して、端子と相手方端子とが係合し、端子と相手方端子との接触状態が確実に維持され、コネクタと相手方コネクタとの嵌合が確実に維持され、信頼性の高いコネクタ、相手方コネクタ及びコネクタ組立体を提供することを目的とする。
【課題を解決するための手段】
【０００９】
そのために、コネクタにおいては、ハウジングと、該ハウジングに保持される端子とを備え、前記ハウジングは、平板状の端子保持部と、該端子保持部の下面に開口する接触部収容開口とを含み、前記端子は、本体部と、該本体部の前端に接続され、下方に突出するＵ字状の形状を有する接触部と、該接触部の前端に接続された先端部とを含み、前記接触部は、下方に向いて延出する一対の脚部と、該脚部の下端を連結する底部とを含み、前記本体部及び先端部は前記端子保持部に一体的に接続されて保持され、前記接触部は前記接触部収容開口内に収容される。
【００１０】
他のコネクタにおいては、さらに、前記端子は、板厚方向に屈曲した金属板から成る。
【００１１】
更に他のコネクタにおいては、さらに、前記端子は、前記脚部が相手方端子と接触する。
【００１２】
更に他のコネクタにおいては、さらに、一対の脚部の一方は他方よりも幅広の主接触部である。
【００１３】
更に他のコネクタにおいては、さらに、前記底部は、左右両側から幅方向外側に向けて突出する係合突部を含んでいる。
【００１４】
更に他のコネクタにおいては、さらに、前記底部は前記端子保持部の下面より下方に突出する。
【００１５】
相手方コネクタにおいては、本開示のコネクタと嵌合可能な相手方コネクタであって、相手方ハウジングと、該相手方ハウジングに保持される相手方端子とを備え、前記相手方ハウジングは、平板状の相手方端子保持部と、端子収容開口とを含み、前記相手方端子は、本体部と、該本体部の前端に接続され、前記相手方端子の板厚方向に貫通する接触開口を有する接触部と、該接触部の前端に接続された先端部とを含み、前記本体部及び先端部は前記相手方端子保持部に一体的に接続されて保持され、前記接触部は前記端子収容開口内に収容され、前記コネクタが嵌合すると、前記接触開口の両側に位置する一対の開口腕部が前記脚部を挟持する。
【００１６】
コネクタ組立体においては、本開示のコネクタと、該コネクタと嵌合可能な相手方コネクタと、から成る。
【発明の効果】
【００１７】
本開示によれば、端子と相手方端子とが係合し、端子と相手方端子との接触状態が確実に維持され、コネクタと相手方コネクタとの嵌合が確実に維持され、信頼性が向上する。
【図面の簡単な説明】
【００１８】
【図１】本実施の形態におけるプラグコネクタの斜視図であって、（ａ）は上方から観た斜視図、（ｂ）は下方から観た斜視図である。
【図２】本実施の形態におけるプラグコネクタの六面図であって、（ａ）は上面図、（ｂ）及び（ｃ）は端面図、（ｄ）及び（ｅ）は側面図、（ｆ）は下面図である。
【図３】本実施の形態におけるプラグコネクタの分解図である。
【図４】本実施の形態におけるプラグシェルの斜視図であって、（ａ）は上方から観た斜視図、（ｂ）は下方から観た斜視図である。
【図５】本実施の形態におけるシグナルピンの斜視図であって、（ａ）はキャリアに接続されたシグナルピンの下方から観た斜視図、（ｂ）はキャリアに接続されたシグナルピンの上方から観た斜視図である。
【図６】本実施の形態におけるシグナルピンの四面図であって、（ａ）はキャリアに接続されたシグナルピンの上面図、（ｂ）はキャリアに接続されたシグナルピンの側面図、（ｃ）はキャリアに接続されたシグナルピンの下面図、（ｄ）はキャリアから切断されたシグナルピンの拡大上面図である。
【図７】本実施の形態におけるリセプタクルコネクタの斜視図である。
【図８】本実施の形態におけるリセプタクルコネクタの六面図であって、（ａ）は上面図、（ｂ）及び（ｃ）は端面図、（ｄ）及び（ｅ）は側面図、（ｆ）は下面図である。
【図９】本実施の形態におけるリセプタクルコネクタの分解図である。
【図１０】本実施の形態におけるリセプタクルシェルの斜視図であって、（ａ）は上方から観た斜視図、（ｂ）は下方から観た斜視図である。
【図１１】本実施の形態におけるターミナルの斜視図であって、（ａ）はキャリアに接続されたターミナルの上方から観た斜視図、（ｂ）はキャリアに接続されたターミナルの下方から観た斜視図である。
【図１２】本実施の形態におけるターミナルの三面図であって、（ａ）はキャリアに接続されたターミナルの上面図、（ｂ）はキャリアに接続されたターミナルの側面図、（ｃ）はキャリアに接続されたターミナルの下面図である。
【図１３】本実施の形態における嵌合の第１工程でのプラグコネクタとリセプタクルコネクタとの位置関係を示す斜視図である。
【図１４】本実施の形態における嵌合の第１工程でのシグナルピンとターミナルとの位置関係を示す斜視図である。
【図１５】本実施の形態における嵌合の第１工程でのシグナルピンとターミナルとの位置関係を示す三面図であって、（ａ）は上面図、（ｂ）は側面図、（ｃ）は下面図である。
【図１６】本実施の形態における嵌合の第２工程でのプラグコネクタとリセプタクルコネクタとの位置関係を示す斜視図である。
【図１７】本実施の形態における嵌合の第２工程でのプラグコネクタとリセプタクルコネクタとの位置関係を示す二面図であって、（ａ）は上面図、（ｂ）は端面図である。
【図１８】本実施の形態における嵌合の第２工程でのプラグシェルとリセプタクルシェルとの位置関係を示す斜視図である。
【図１９】本実施の形態における嵌合の第２工程でのシグナルピンとターミナルとの位置関係を示す斜視図である。
【図２０】本実施の形態における嵌合の第２工程でのシグナルピンとターミナルとの位置関係を示す三面図であって、（ａ）は上面図、（ｂ）は側面図、（ｃ）は下面図である。
【図２１】本実施の形態における嵌合の第３工程でのプラグコネクタとリセプタクルコネクタとの位置関係を示す斜視図である。
【図２２】本実施の形態における嵌合の第３工程でのプラグコネクタとリセプタクルコネクタとの位置関係を示す二面図であって、（ａ）は上面図、（ｂ）は端面図である。
【図２３】本実施の形態における嵌合の第３工程でのプラグシェルとリセプタクルシェルとの位置関係を示す斜視図である。
【図２４】本実施の形態における嵌合の第３工程でのシグナルピンとターミナルとの位置関係を示す斜視図である。
【図２５】本実施の形態における嵌合の第３工程でのシグナルピンとターミナルとの位置関係を示す三面図であって、（ａ）は上面図、（ｂ）は側面図、（ｃ）は下面図である。
【図２６】本実施の形態における嵌合の第１〜３工程でのシグナルピンとターミナルとの位置関係を示す断面図であって、（ａ）〜（ｃ）は、嵌合の第１〜３工程を示す図である。
【図２７】本実施の形態における嵌合の第２及び３工程での第１基板に実装されたプラグコネクタと第２基板に実装されたリセプタクルコネクタとの位置関係を示す上面図及び斜視図であって、（ａ１）は嵌合の第２工程を示す上面図、（ａ２）は嵌合の第２工程を示す斜視図、（ｂ１）は嵌合の第３工程を示す上面図、（ｂ２）は嵌合の第３工程を示す斜視図である。
【図２８】従来のコネクタの二面図であって、（ａ）は平面図、（ｂ）は側面図である。
【発明を実施するための形態】
【００１９】
以下、実施の形態について図面を参照しながら詳細に説明する。
【００２０】
図１は本実施の形態におけるプラグコネクタの斜視図、図２は本実施の形態におけるプラグコネクタの六面図、図３は本実施の形態におけるプラグコネクタの分解図、図４は本実施の形態におけるプラグシェルの斜視図、図５は本実施の形態におけるシグナルピンの斜視図、図６は本実施の形態におけるシグナルピンの四面図である。なお、図１及び４において、（ａ）は上方から観た斜視図、（ｂ）は下方から観た斜視図であり、図２において、（ａ）は上面図、（ｂ）及び（ｃ）は端面図、（ｄ）及び（ｅ）は側面図、（ｆ）は下面図であり、図５において、（ａ）はキャリアに接続されたシグナルピンの下方から観た斜視図、（ｂ）はキャリアに接続されたシグナルピンの上方から観た斜視図であり、図６において、（ａ）はキャリアに接続されたシグナルピンの上面図、（ｂ）はキャリアに接続されたシグナルピンの側面図、（ｃ）はキャリアに接続されたシグナルピンの下面図、（ｄ）はキャリアから切断されたシグナルピンの拡大上面図である。
【００２１】
図において、１は本実施の形態におけるコネクタとしてのプラグコネクタであって、概略矩形の平面形状を備え、後述される第１基板９１の表面に実装される表面実装型の平板状のコネクタであり、後述される相手方コネクタとしてのリセプタクルコネクタ１０１と電気的に接続される。該リセプタクルコネクタ１０１も、後述される第２基板１９１の表面に実装される表面実装型のコネクタである。そして、本実施の形態において、前記プラグコネクタ１とリセプタクルコネクタ１０１とは互いに嵌合可能であり、本実施の形態におけるコネクタ組立体を構成し、第１基板９１及び第２基板１９１を電気的に接続する。なお、前記第１基板９１及び第２基板１９１は、例えば、電子機器等に使用されるプリント回路基板、フレキシブルフラットケーブル（ＦＦＣ）、フレキシブル回路基板（ＦＰＣ）等であるが、いかなる種類の基板であってもよい。
【００２２】
また、本実施の形態において、プラグコネクタ１及びリセプタクルコネクタ１０１の各部の構成及び動作を説明するために使用される上、下、左、右、前、後等の方向を示す表現は、絶対的なものでなく相対的なものであり、プラグコネクタ１及びリセプタクルコネクタ１０１が図に示される姿勢である場合に適切であるが、プラグコネクタ１及びリセプタクルコネクタ１０１の姿勢が変化した場合には姿勢の変化に応じて変更して解釈されるべきものである。
【００２３】
そして、前記プラグコネクタ１は、樹脂等の絶縁性材料から成るハウジング１１と、銅合金等の導電性材料から成る端子としてのシグナルピン５１と、鋼等の強度の高い金属から成る補強金具としてのプラグシェル７１とを備える。前記シグナルピン５１は、ハウジング１１の長手方向（Ｘ軸方向）に延在する複数本（図に示される例においては、２本）の列を形成するように配設されている。なお、前記ハウジング１１は、インサート成形によってシグナルピン５１及びプラグシェル７１と一体化されて成形される部材であるから、実際には単独で存在するものではないが、図３等においては、説明の都合上、独立した部材として描画されている。また、前記プラグコネクタ１は、リセプタクルコネクタ１０１と嵌合する際には、図１（ａ）における左上方向（Ｙ軸正方向）に向けてリセプタクルコネクタ１０１に対してスライドするようになっている。
【００２４】
図３に示されるように、前記ハウジング１１は、長手方向に延在する一対の端子保持部としての縦枠部１２と、該縦枠部１２の両端を連結して幅方向（Ｙ軸方向）に延在する一対の横枠部１４とを有する平面形状が概略口字状の平板状の枠部材である。そして、その中央には、周囲を縦枠部１２及び横枠部１４によって画定される略矩形の開口であって、厚さ方向、すなわち、上下方向（Ｚ軸方向）に貫通する中央開口１３が形成されている。また、各縦枠部１２には、少なくとも嵌合面としての下面１２ｂに開口する接触部収容開口１５が形成されている。図に示される例においては、各縦枠部１２に、上下方向に貫通する開口である接触部収容開口１５が、複数個、長手方向に１列に並ぶように配設されている。各接触部収容開口１５内には、シグナルピン５１のシグナル接触部５４が収容される。また、スライド方向前側（Ｙ軸正方向側）の縦枠部１２と横枠部１４との連結部分には、長手方向外側に向けて突出する凸部１６が形成されている。
【００２５】
前記シグナルピン５１は、スライド方向前側の縦枠部１２に取付けられる前側端子としての第１シグナルピン５１Ａと、スライド方向後側の縦枠部１２に取付けられる後側端子としての第２シグナルピン５１Ｂとを含んでいる。なお、前記第１シグナルピン５１Ａ及び第２シグナルピン５１Ｂを統合的に説明する場合には、シグナルピン５１として説明する。該シグナルピン５１は、板厚方向に屈曲した金属板から成る部材であって、金属板に打抜き、曲げ等の加工を施すことによって製作され、図５及び図６（ａ）〜（ｃ）に示されるように、平板状のキャリア６１に複数個が接続された状態で供給される。なお、各シグナルピン５１は、細長い接続腕６２を介して、キャリア６１に接続され、切断部６２ａにおいて接続腕６２から切離されることによって、図３及び図６（ｄ）に示されるような部材となる。
【００２６】
各シグナルピン５１は、本体部５３と、該本体部５３の後端（キャリア６１側端）に接続されたテール部としての接続部５２と、前記本体部５３の前端（反キャリア６１側端）に接続された接触部としてのシグナル接触部５４と、該シグナル接触部５４の前端に接続された先端部５５とを有し、本体部５３及び先端部５５が縦枠部１２に一体的に接続されて保持される。前記接続部５２は、第１基板９１の表面に露出する接続パッド等にはんだ付等の接続手段によって接続されて導通する部分である。また、前記シグナル接触部５４は、リセプタクルコネクタ１０１の後述されるターミナル１５１と接触して導通する部分である。図６（ｂ）に示されるように、側面視において、本体部５３、接続部５２及び先端部５５は、平面的な部材であってほぼ同一平面上に位置しているのに対し、シグナル接触部５４は、下方（Ｚ軸負方向）に突出するＵ字状に形成されている。詳細には、前記シグナル接触部５４は、下方に向いて延出する一対の脚部５４ａと、該脚部５４ａの下端を連結する平板状の底部５４ｂと、該底部５４ｂの左右両側から幅方向（Ｘ軸方向）外側に向けて突出する係合突部としての突起５４ｃとを含んでいる。図６（ｄ）に示されるように、本体部５３、先端部５５並びにシグナル接触部５４の脚部５４ａ及び底部５４ｂは、ほぼ同一幅の板状部材であるが、前記突起５４ｃは底部５４ｂの幅よりも外側に突出している。なお、詳細には、一対の脚部５４ａにおいて、スライド方向前側に位置するものは、主接触部５４ａ１として、スライド方向後側に位置するものよりも幅広に形成されている。また、第１シグナルピン５１Ａの本体部５３の途中及び第２シグナルピン５１Ｂの先端部５５の先端には、それらの左右両側から幅方向外側に向けて延出し、その先端が下方に向けて湾曲した板片保持部としての幅広部５６が形成されている。すなわち、シグナルピン５１は、主接触部５４ａ１に比較的近い位置であるスライド方向前側の位置に形成された幅広部５６を有する。
【００２７】
そして、前記シグナルピン５１は、本体部５３、接続部５２及び先端部５５の上面の少なくとも一部が縦枠部１２の実装面（反嵌合面）としての上面１２ａに露出し、シグナル接触部５４が接触部収容開口１５内に収容され、接続部５２の少なくとも先端が縦枠部１２の外側端の外側に向けて突出するように、縦枠部１２と一体化される。第１シグナルピン５１Ａは、スライド方向前側（Ｙ軸正方向側）の縦枠部１２に取付けられるので、接続部５２の先端は、縦枠部１２のスライド方向前側端よりもスライド方向前側に突出し、第２シグナルピン５１Ｂは、スライド方向後側（Ｙ軸負方向側）の縦枠部１２に取付けられるので、接続部５２の先端は、縦枠部１２のスライド方向後側端よりもスライド方向後側に突出する。また、シグナル接触部５４の下端に位置する底部５４ｂは、縦枠部１２の嵌合面（反実装面）としての下面１２ｂより下方に突出する。さらに、幅広部５６は、シグナル接触部５４よりもスライド方向前側において、主接触部５４ａ１に比較的近い位置で、縦枠部１２と一体化され、その下方に向けて湾曲した先端が縦枠部１２に食込んだ状態となる。
【００２８】
前記プラグシェル７１は、金属板に打抜き、曲げ等の加工を施すことによって製作される部材であって、図３及び４に示されるように、長手方向（Ｘ軸方向）に延在する細長い帯状の部材である中央支持部としての連結部７５と、該連結部７５の両端に接続された一対の支持板部７６と、該支持板部７６の長手方向外側に接続された一対のロック部７２と、該ロック部７２の各々に一対ずつ接続された基板接続部７３とを有する。
【００２９】
各支持板部７６は、その中央が前記連結部７５に接続された幅方向（Ｙ軸方向）に延在する平板状の本体部７６ａと、該本体部７６ａの幅方向両端近傍から長手方向外側に向けて延在する一対の接続板７６ｂとを有する。そして、該接続板７６ｂは、側面視における形状がクランク状の部材であり、その先端に接続されたロック部７２は、前記連結部７５及び支持板部７６の本体部７６ａとほぼ平行で、かつ、前記連結部７５及び支持板部７６の本体部７６ａよりも下方に位置する。また、該本体部７６ａには開口７６ｃが形成されている。なお、図に示される例において、連結部７５は１本のみであり、接続板７６ｂは２本のみであるが、前記連結部７５及び接続板７６ｂの数は、これに限定されるものでなく、いくつであってもよい。すなわち、両端のロック部７２同士の間隔を維持するための突張り部材として機能するものであれば、いくつであっても、また、どこに配設されていてもよく、例えば、幅方向の最外側に配設されていてもよい。
【００３０】
また、前記ロック部７２は、接続板７６ｂの先端に接続された幅方向に延在する平板状のロック本体部７２ａと、該ロック本体部７２ａの両端から長手方向外側に向けて延出する一対の腕部７２ｂと、両端がロック本体部７２ａに接続された幅方向に延在する平板状のロックばね片７２ｃと、該ロックばね片７２ｃの幅方向中央から長手方向外側に向けて突出するロック突起７２ｄとを有する。該ロック突起７２ｄは、前方の斜面の方が後方の斜面よりも傾度が緩やかになるように形成されている。なお、ロック本体部７２ａには、ロックばね片７２ｃの後方に開口７２ｅが形成され、該開口７２ｅを挟んでロックばね片７２ｃと対向する部分は、底板部７２ｈとなっている。前記開口７２ｅは、ロックばね片７２ｃのたわみを許容するための空間である。また、前記ロックばね片７２ｃの長手方向外側は、該ロックばね片７２ｃと一対の腕部７２ｂとによって三方を画定された凹空間７２ｇとなっている。なお、前記腕部７２ｂにおけるスライド方向前側端には、先端が上方に湾曲した湾曲部７２ｆが形成されている。
【００３１】
さらに、前記基板接続部７３は、ロック部７２の腕部７２ｂの外側端に接続された側面視における形状がクランク状の中間部７３ａと、該中間部７３ａの先端に接続された平板状の接続板部７３ｂとを有する。該接続板部７３ｂは、連結部７５及び支持板部７６の本体部７６ａとほぼ同一平面状に位置する。また、スライド方向前側の基板接続部７３は、中間部７３ａ及び接続板部７３ｂの一部を切欠いた切欠部７３ｃを含んでいて、該切欠部７３ｃに対応する腕部７２ｂにおけるスライド方向前側端には湾曲部７２ｆが形成されている。
【００３２】
そして、前記プラグシェル７１は、支持板部７６の本体部７６ａの幅方向両端近傍の上面が縦枠部１２及び横枠部１４の実装面としての上面１２ａ及び上面１４ａに露出し、ロック部７２の下面が横枠部１４の嵌合面としての下面１４ｂに露出し、連結部７５が中央開口１３内に収容されるようにハウジング１１と一体化される。基板接続部７３の接続板部７３ｂは、横枠部１４の幅方向（Ｙ軸方向）外側端の外側に位置し、その上面はシグナルピン５１の接続部５２の上面とほぼ面一となっている。また、ロック部７２のロックばね片７２ｃは、横枠部１４の長手方向（Ｘ軸方向）外側端の外側に位置している。
【００３３】
次に、リセプタクルコネクタ１０１の構成について説明する。
【００３４】
図７は本実施の形態におけるリセプタクルコネクタの斜視図、図８は本実施の形態におけるリセプタクルコネクタの六面図、図９は本実施の形態におけるリセプタクルコネクタの分解図、図１０は本実施の形態におけるリセプタクルシェルの斜視図、図１１は本実施の形態におけるターミナルの斜視図、図１２は本実施の形態におけるターミナルの三面図である。なお、図８において、（ａ）は上面図、（ｂ）及び（ｃ）は端面図、（ｄ）及び（ｅ）は側面図、（ｆ）は下面図であり、図１０において、（ａ）は上方から観た斜視図、（ｂ）は下方から観た斜視図であり、図１１において、（ａ）はキャリアに接続されたターミナルの上方から観た斜視図、（ｂ）はキャリアに接続されたターミナルの下方から観た斜視図であり、図１２において、（ａ）はキャリアに接続されたターミナルの上面図、（ｂ）はキャリアに接続されたターミナルの側面図、（ｃ）はキャリアに接続されたターミナルの下面図である。
【００３５】
前記リセプタクルコネクタ１０１は、樹脂等の絶縁性材料から成る相手方ハウジングとしてのハウジング１１１と、銅合金等の導電性材料から成る相手方端子としてのターミナル１５１と、鋼等の強度の高い金属から成る相手方補強金具としてのリセプタクルシェル１７１とを備える。前記ターミナル１５１は、ハウジング１１１の長手方向（Ｘ軸方向）に延在する複数本（図に示される例においては、２本）の列を形成するように配設されている。なお、前記ハウジング１１１は、インサート成形によってターミナル１５１及びリセプタクルシェル１７１と一体化されて成形される部材であるから、実際には単独で存在するものではないが、図９等においては、説明の都合上、独立した部材として描画されている。前述のように、プラグコネクタ１は、リセプタクルコネクタ１０１と嵌合する際には、図７における左上方向（Ｙ軸正方向）に向けてリセプタクルコネクタ１０１に対してスライドするようになっている。
【００３６】
図９に示されるように、前記ハウジング１１１は、長手方向に延在する一対の縦枠部１１２と、該縦枠部１１２の両端を連結して幅方向（Ｙ軸方向）に延在する一対の外側横枠部１１４とを有する平面形状が概略口字状の平板状の部材である。そして、その中央には、周囲を縦枠部１１２及び外側横枠部１１４によって画定される略矩形の開口であって、厚さ方向、すなわち、上下方向（Ｚ軸方向）に貫通する開口１１３が形成されている。また、該開口１１３内には、両端が縦枠部１１２に連結されて幅方向に延在する一対の内側横枠部１１５と、両端が内側横枠部１１５の中央部分に連結されて長手方向に延在する中央支持部としての連結部１１６とが配設されている。なお、前記開口１１３は、内側横枠部１１５及び連結部１１６によって、一対のロック収容開口１１３ａと一対の端子収容開口１１３ｂとに区画されている。そして、前記縦枠部１１２及び連結部１１６は、相手方端子保持部として機能する。
【００３７】
前記ターミナル１５１は、プラグコネクタ１のスライド方向前側の縦枠部１１２に取付けられる前側端子としての第１ターミナル１５１Ａと、プラグコネクタ１のスライド方向後側の縦枠部１１２に取付けられる後側端子としての第２ターミナル１５１Ｂとを含んでいる。なお、前記第１ターミナル１５１Ａ及び第２ターミナル１５１Ｂを統合的に説明する場合には、ターミナル１５１として説明する。該ターミナル１５１は、板厚方向に屈曲した金属板から成る部材であって、金属板に打抜き、曲げ等の加工を施すことによって製作され、図１１及び１２に示されるように、平板状のキャリア１６１に複数個が接続された状態で供給される。なお、各ターミナル１５１は、細長い接続腕１６２を介して、キャリア１６１に接続され、切断部１６２ａにおいて接続腕１６２から切離されることによって、図９に示されるような部材となる。
【００３８】
各ターミナル１５１は、本体部１５３と、該本体部１５３の後端（キャリア１６１側端）に接続されたテール部としての接続部１５２と、前記本体部１５３の前端（反キャリア１６１側端）に接続された接触部としてのターミナル接触部１５４と、該ターミナル接触部１５４の前端に接続された先端部１５５とを有する。前記接続部１５２は、第２基板１９１の表面に露出する接続パッド等にはんだ付等の接続手段によって接続されて導通する部分である。また、前記ターミナル接触部１５４は、プラグコネクタ１のシグナルピン５１と接触して導通する部分である。さらに、前記先端部１５５の先端からは、保持用爪としての先端突起１５５ａが突出している。第１ターミナル１５１Ａにおいて、先端突起１５５ａは、２本であり、上方に向けて湾曲した形状を有する。また、第２ターミナル１５１Ｂにおいて、先端突起１５５ａは、１本であり、下方に向けて湾曲した形状を有する。
【００３９】
前記ターミナル接触部１５４は、該ターミナル接触部１５４をターミナル１５１の板厚方向、すなわち、上下方向（Ｚ軸方向）に貫通する開口としての接触開口１５７と、該接触開口１５７の両側を画定する細長い一対の開口腕部１５６とを含んでいる。図１１及び１２に示されるように、前記接触開口１５７は、プラグコネクタ１のスライド方向に延在する細長い開口であり、その長手方向（Ｙ軸方向）の両端に位置する幅広部１５７ａと、その長手方向の中央に位置する幅狭部１５７ｂと、該幅狭部１５７ｂの長手方向両側において幅広部１５７ａと接続される絞り部１５７ｃとを含んでいる。該絞り部１５７ｃは、幅広部１５７ａから幅狭部１５７ｂに移行するにつれて幅が狭く絞り込まれていく部分である。また、前記開口腕部１５６は、幅広部１５７ａの両側に位置する幅広腕部１５６ａと、幅狭部１５７ｂの両側に位置する幅狭腕部１５６ｂと、絞り部１５７ｃの両側に位置する傾斜腕部１５６ｃとを含んでいる。プラグコネクタ１とリセプタクルコネクタ１０１とが嵌合する際、各シグナルピン５１のシグナル接触部５４は、まず、対応するターミナル１５１の接触開口１５７におけるプラグコネクタ１のスライド方向後側の幅広部１５７ａ内に進入し、プラグコネクタ１がリセプタクルコネクタ１０１に対してスライドすると、絞り部１５７ｃを通過して幅狭部１５７ｂ内に到達する。なお、幅広部１５７ａの幅、すなわち、対向する幅広腕部１５６ａ同士の間隔は、シグナル接触部５４の底部５４ｂにおける突起５４ｃの箇所の幅よりも広く、また、幅狭部１５７ｂの幅、すなわち、対向する幅狭腕部１５６ｂ同士の間隔は、シグナル接触部５４の脚部５４ａの幅より狭く設定されている。
【００４０】
図１２（ｂ）に示されるように、第１ターミナル１５１Ａは、側面視において、その本体部１５３及び先端部１５５が、平面的な部材であってほぼ同一平面上に位置しているのに対し、ターミナル接触部１５４における長手方向両側の幅広腕部１５６ａは、本体部１５３及び先端部１５５とほぼ同一平面上に位置しているが、幅狭腕部１５６ｂは、幅広腕部１５６ａとほぼ平行ではあるが、該幅広腕部１５６ａよりも上方に位置し、傾斜腕部１５６ｃは、幅広腕部１５６ａから幅狭腕部１５６ｂに向けて斜めに上昇するように傾斜している。各部の高さ方向（Ｚ軸方向）の位置をプラグコネクタ１のスライド方向に沿って観ると、プラグコネクタ１のスライド方向後側の幅広腕部１５６ａは、先端部１５５と共に、低い位置にあり、プラグコネクタ１のスライド方向後側の傾斜腕部１５６ｃは斜めに上昇するように傾斜し、幅狭腕部１５６ｂは高い位置にあり、プラグコネクタ１のスライド方向前側の傾斜腕部１５６ｃは斜めに下降するように傾斜し、プラグコネクタ１のスライド方向前側の幅広腕部１５６ａは、本体部１５３と共に、低い位置にあることが分かる。
【００４１】
また、第２ターミナル１５１Ｂは、側面視において、その本体部１５３が、平面的な部材であって第１ターミナル１５１Ａの本体部１５３とほぼ同一平面上に位置しているのに対し、ターミナル接触部１５４におけるプラグコネクタ１のスライド方向後側の幅広腕部１５６ａは、本体部１５３とほぼ同一平面上に位置しているが、プラグコネクタ１のスライド方向後側の傾斜腕部１５６ｃは、幅広腕部１５６ａから幅狭腕部１５６ｂに向けて斜めに上昇するように傾斜し、幅狭腕部１５６ｂは、幅広腕部１５６ａとほぼ平行ではあるが、該幅広腕部１５６ａよりも上方に位置し、プラグコネクタ１のスライド方向前側の傾斜腕部１５６ｃ及び幅広腕部１５６ａ並びに先端部１５５は、幅狭腕部１５６ｂとほぼ同一平面上に位置している。各部の高さ方向（Ｚ軸方向）の位置をプラグコネクタ１のスライド方向に沿って観ると、プラグコネクタ１のスライド方向後側の幅広腕部１５６ａは、本体部１５３と共に、低い位置にあり、プラグコネクタ１のスライド方向後側の傾斜腕部１５６ｃは斜めに上昇するように傾斜し、幅狭腕部１５６ｂは高い位置にあり、プラグコネクタ１のスライド方向前側の傾斜腕部１５６ｃ及び幅広腕部１５６ａ並びに先端部１５５は、幅狭腕部１５６ｂと共に、高い位置にあることが分かる。なお、幅狭腕部１５６ｂ及び幅広腕部１５６ａの高さは、同一であってもよい。
【００４２】
そして、前記ターミナル１５１は、本体部１５３の下面の一部が縦枠部１１２の実装面（反嵌合面）としての下面１１２ｂに露出し、ターミナル接触部１５４が端子収容開口１１３ｂ内に収容され、接続部１５２の少なくとも先端が縦枠部１１２の外側端の外側に向けて突出するように、縦枠部１１２及び連結部１１６と一体化される。第１ターミナル１５１Ａは、スライド方向前側（Ｙ軸正方向側）の縦枠部１１２及び連結部１１６に取付けられるので、接続部１５２の先端は、縦枠部１１２のスライド方向前側端よりもスライド方向前側に突出し、第２ターミナル１５１Ｂは、スライド方向後側（Ｙ軸負方向側）の縦枠部１１２及び連結部１１６に取付けられるので、接続部１５２の先端は、縦枠部１１２のスライド方向後側端よりもスライド方向後側に突出する。また、先端部１５５は連結部１１６と一体化され、上方又は下方に向けて湾曲した先端突起１５５ａは、連結部１１６に食込んだ状態となる。平面視において、第１ターミナル１５１Ａの先端突起１５５ａと第２ターミナル１５１Ｂの先端突起１５５ａとは、千鳥状に配設された状態で連結部１１６と一体化される。
【００４３】
前記リセプタクルシェル１７１は、金属板に打抜き、曲げ等の加工を施すことによって製作される平板状の枠部材であって、図９及び１０に示されるように、長手方向（Ｘ軸方向）に延在する細長い帯状の部材である一対の縦枠部１７５と、該縦枠部１７５の両端に接続された一対の横枠部１７６とを有する平面形状が概略口字状の部材である。また、前記リセプタクルシェル１７１は、前記横枠部１７６の長手方向内側に接続された一対のロック受部１７２と、縦枠部１７５の長手方向両端における外側端に接続された基板接続部１７３とを有する。
【００４４】
前記ロック受部１７２は、その先端から下方に向けて湾曲した当接壁部１７２ａと、該当接壁部１７２ａに形成された開放部である本係止受部１７２ｂ及び仮係止受部１７２ｃと、前記当接壁部１７２ａよりも長手方向（Ｘ軸方向）外側において下方に向けて湾曲したガイド部１７２ｅと、その先端から長手方向内方に延在する覆部１７２ｄとを有する。また、前記基板接続部１７３は、縦枠部１７５の外側端に接続された側面視における形状がクランク状の中間部１７３ａと、該中間部１７３ａの先端に接続された平板状の接続板部１７３ｂとを有する。該接続板部１７３ｂは、縦枠部１７５及び横枠部１７６よりも低い位置にある。
【００４５】
そして、前記リセプタクルシェル１７１は、縦枠部１７５が縦枠部１１２の上面１１２ａを覆い、横枠部１７６の上面が外側横枠部１１４の嵌合面としての上面１１４ａに露出し、ロック受部１７２がロック収容開口１１３ａ内に突出するようにハウジング１１１と一体化される。なお、接続板部１７３ｂの下面は、縦枠部１１２及び外側横枠部１１４の実装面としての下面１１２ｂ及び下面１１４ｂとほぼ面一となっている。
【００４６】
次に、前記構成のプラグコネクタ１とリセプタクルコネクタ１０１とを嵌合する動作について説明する。
【００４７】
図１３は本実施の形態における嵌合の第１工程でのプラグコネクタとリセプタクルコネクタとの位置関係を示す斜視図、図１４は本実施の形態における嵌合の第１工程でのシグナルピンとターミナルとの位置関係を示す斜視図、図１５は本実施の形態における嵌合の第１工程でのシグナルピンとターミナルとの位置関係を示す三面図、図１６は本実施の形態における嵌合の第２工程でのプラグコネクタとリセプタクルコネクタとの位置関係を示す斜視図、図１７は本実施の形態における嵌合の第２工程でのプラグコネクタとリセプタクルコネクタとの位置関係を示す二面図、図１８は本実施の形態における嵌合の第２工程でのプラグシェルとリセプタクルシェルとの位置関係を示す斜視図、図１９は本実施の形態における嵌合の第２工程でのシグナルピンとターミナルとの位置関係を示す斜視図、図２０は本実施の形態における嵌合の第２工程でのシグナルピンとターミナルとの位置関係を示す三面図、図２１は本実施の形態における嵌合の第３工程でのプラグコネクタとリセプタクルコネクタとの位置関係を示す斜視図、図２２は本実施の形態における嵌合の第３工程でのプラグコネクタとリセプタクルコネクタとの位置関係を示す二面図、図２３は本実施の形態における嵌合の第３工程でのプラグシェルとリセプタクルシェルとの位置関係を示す斜視図、図２４は本実施の形態における嵌合の第３工程でのシグナルピンとターミナルとの位置関係を示す斜視図、図２５は本実施の形態における嵌合の第３工程でのシグナルピンとターミナルとの位置関係を示す三面図、図２６は本実施の形態における嵌合の第１〜３工程でのシグナルピンとターミナルとの位置関係を示す断面図、図２７は本実施の形態における嵌合の第２及び３工程での第１基板に実装されたプラグコネクタと第２基板に実装されたリセプタクルコネクタとの位置関係を示す上面図及び斜視図である。なお、図１５、２０及び２５において、（ａ）は上面図、（ｂ）は側面図、（ｃ）は下面図であり、図１７及び２２において、（ａ）は上面図、（ｂ）は端面図であり、図２６において、（ａ）〜（ｃ）は、嵌合の第１〜３工程を示す図であり、図２７において、（ａ１）は嵌合の第２工程を示す上面図、（ａ２）は嵌合の第２工程を示す斜視図、（ｂ１）は嵌合の第３工程を示す上面図、（ｂ２）は嵌合の第３工程を示す斜視図である。
【００４８】
ここで、プラグコネクタ１は、シグナルピン５１の接続部５２が第１基板９１の表面に形成された図示されない接続パッドにはんだ付等によって接続されるとともに、プラグシェル７１の接続板部７３ｂが第１基板９１の表面に形成された固定用パッドにはんだ付等によって接続されることにより、あらかじめ第１基板９１に表面実装されているものとする。図２７に示される例において、第１基板９１はフレキシブルフラットケーブルであって、プラグコネクタ１はフレキシブルフラットケーブルの末端の図における下側の面に表面実装されている。なお、図２７において、９２はフレキシブルフラットケーブルの末端を補強する補強層である。また、リセプタクルコネクタ１０１は、ターミナル１５１の接続部１５２が第２基板１９１の表面に形成された図示されない接続パッドにはんだ付等によって接続されるとともに、リセプタクルシェル１７１の接続板部１７３ｂが第２基板１９１の表面に形成された固定用パッドにはんだ付等によって接続されることにより、あらかじめ第２基板１９１に表面実装されているものとする。図２７に示される例において、第２基板１９１はプリント回路基板であって、リセプタクルコネクタ１０１はプリント回路基板の図における上側の面に表面実装されている。なお、図１３〜２６において、第１基板９１及び第２基板１９１は、説明の都合上、図示が省略されている。
【００４９】
まず、嵌合の第１工程において、オペレータは、図１３に示されるように、プラグコネクタ１の嵌合面としての下面とリセプタクルコネクタ１０１の嵌合面としての上面とを対向させた状態とする。具体的には、第１シグナルピン５１Ａ及び第２シグナルピン５１Ｂが、それぞれ、第１ターミナル１５１Ａ及び第２ターミナル１５１Ｂと対向し、横枠部１４及びロック部７２がロック収容開口１１３ａと対向するような状態とする。
【００５０】
その際、各シグナルピン５１とそれに対応する各ターミナル１５１との位置関係を、図１４及び１５に示されるような状態とする。すなわち、各シグナルピン５１のシグナル接触部５４が、対応するターミナル１５１の接触開口１５７におけるプラグコネクタ１のスライド方向後側の幅広部１５７ａと対向するようにする。
【００５１】
次に、嵌合の第２工程において、オペレータは、プラグコネクタ１をリセプタクルコネクタ１０１に対して相対的に下降させ、図２６（ａ）に示されるように、プラグコネクタ１をリセプタクルコネクタ１０１に接近させた後、図１６及び１７に示されるように、プラグコネクタ１の下面をリセプタクルコネクタ１０１の上面に当接又は近接させる。
【００５２】
すると、各シグナルピン５１とそれに対応する各ターミナル１５１との位置関係は、図１９、２０及び２６（ｂ）に示されるような状態になる。すなわち、各シグナルピン５１のシグナル接触部５４が、対応するターミナル１５１の接触開口１５７におけるプラグコネクタ１のスライド方向後側の幅広部１５７ａ内に進入する。この際、幅広部１５７ａの幅、すなわち、対向する幅広腕部１５６ａ同士の間隔が、シグナル接触部５４の底部５４ｂにおける突起５４ｃの箇所の幅よりも広く設定されているので、シグナル接触部５４は接触開口１５７にスムーズに進入することができる。なお、プラグコネクタ１のスライド方向後側の幅広部１５７ａ及び幅広腕部１５６ａが低い位置にあるので、シグナル接触部５４の底部５４ｂは、前記幅広腕部１５６ａの下方に大きく突出することはない。
【００５３】
また、各ロック部７２とそれに対応する各ロック受部１７２との位置関係は、図１７及び１８に示されるような状態になる。すなわち、凹空間７２ｇ内に当接壁部１７２ａが収容され、ロックばね片７２ｃが当接壁部１７２ａに当接又は近接し、ロック突起７２ｄが仮係止受部１７２ｃに進入して係合し、一対の腕部７２ｂが、それぞれ、対応するガイド部１７２ｅに当接又は近接する。これにより、ロック部７２とロック受部１７２とが仮にロックされた状態となり、プラグコネクタ１とリセプタクルコネクタ１０１とは仮止めされた状態になる。
【００５４】
次に、嵌合の第３工程において、オペレータは、プラグコネクタ１をリセプタクルコネクタ１０１に対して相対的に、Ｙ軸正方向に向けて、スライドさせ、図２１及び２２に示されるように、嵌合を完了させる。
【００５５】
すると、各シグナルピン５１とそれに対応する各ターミナル１５１との位置関係は、図２４、２５及び２６（ｃ）に示されるような状態になる。すなわち、すなわち、各シグナルピン５１のシグナル接触部５４が、対応するターミナル１５１の接触開口１５７における幅狭部１５７ｂ内に進入する。該幅狭部１５７ｂ及び幅狭腕部１５６ｂが高い位置にあるので、シグナル接触部５４の底部５４ｂは幅狭腕部１５６ｂの下方に突出した状態となり、脚部５４ａが幅狭部１５７ｂ内、すなわち、対向する幅狭腕部１５６ｂ同士の間に進入する。なお、前記底部５４ｂは、リセプタクルコネクタ１０１の実装面でもある縦枠部１１２の下面１１２ｂに到達するほどには下方に突出しないので、第２基板１９１の表面（上側の面）と接触することはない。
【００５６】
ここで、幅狭部１５７ｂの幅、すなわち、対向する幅狭腕部１５６ｂ同士の間隔が脚部５４ａの幅より狭く設定されているので、脚部５４ａが進入することによって、幅狭腕部１５６ｂ同士の間隔が押広げられ、開口腕部１５６は弾性的に変形する。これにより、開口腕部１５６がばね力を発揮し、脚部５４ａが幅狭腕部１５６ｂによって両側から挟持された状態となるので、脚部５４ａと幅狭腕部１５６ｂとの接触が確実に維持され、シグナルピン５１とターミナル１５１とが確実に導通する。より詳細には、脚部５４ａのうちの幅広に形成された主接触部５４ａ１が、幅狭腕部１５６ｂによって両側から確実に挟持されるので、シグナルピン５１とターミナル１５１とが安定的に導通し、導通不良が発生することがない。なお、幅広部１５７ａと幅狭腕部１５６ｂとの間には絞り部１５７ｃが介在し、幅広部１５７ａから幅狭部１５７ｂに移行するにつれて幅が狭く絞り込まれていくようになっているので、シグナル接触部５４は幅狭部１５７ｂにスムーズに進入することができる。
【００５７】
さらに、幅狭腕部１５６ｂの下方に突出した底部５４ｂには該底部５４ｂの幅よりも外側に突出する突起５４ｃが形成され、脚部５４ａの幅、及び、該脚部５４ａによって押広げられた幅狭腕部１５６ｂ同士の間隔が底部５４ｂにおける突起５４ｃの箇所の幅よりも十分に狭く形成されているので、プラグコネクタ１に嵌合を解除する方向（Ｚ軸正方向）の外力が付与された場合であっても、シグナル接触部５４がＺ軸正方向に変位して幅狭腕部１５６ｂから抜出ることはない。
【００５８】
また、各ロック部７２とそれに対応する各ロック受部１７２との位置関係は、図２２及び２３に示されるような状態になる。すなわち、ロックばね片７２ｃが当接壁部１７２ａに当接又は近接し、ロック突起７２ｄが仮係止受部１７２ｃから、仮係止受部１７２ｃと本係止受部１７２ｂとの間に配設され、下方に向けて延在する中間片を乗越えて、本係止受部１７２ｂに移動して係合し、一対の腕部７２ｂが、それぞれ、対応する覆部１７２ｄの下方に進入して係合する。この際、連結部７５の突張り機能が作用するので、プラグシェル７１が変形等することなく、ロック突起７２ｄは本係止受部１７２ｂと確実に係合する。この場合、ロック突起７２ｄが形成されたロックばね片７２ｃは、両持ち梁状の部材であるので、強度が高く破損することがない。また、前記腕部７２ｂにおけるスライド方向前側端には湾曲部７２ｆが形成されているので、プラグコネクタ１が反嵌合方向（Ｚ軸正方向）の外力を受けた場合であっても、前記腕部７２ｂは、強度が高いので、変形して覆部１７２ｄとの係合が解除されてしまうことがない。特に、スライド方向前側に位置する腕部７２ｂにおける湾曲部７２ｆは、基板接続部７３の中間部７３ａと連結されているので強度がより高くなっている。
【００５９】
なお、前述のように、嵌合の第２工程においては、一対の腕部７２ｂが、それぞれ、対応するガイド部１７２ｅに当接又は近接しているので、プラグコネクタ１をリセプタクルコネクタ１０１に対してスライドさせて第３工程に移行する際に、プラグコネクタ１は、各ロック部７２の一対の腕部７２ｂがガイド部１７２ｅによってガイドされた状態で、リセプタクルコネクタ１０１に対してスライドする。したがって、プラグコネクタ１は、Ｙ軸正方向に向けて安定的にスライドし、Ｙ軸正方向に対して傾斜した姿勢になることがない。
【００６０】
これにより、ロック部７２とロック受部１７２とが相互にロックされた状態となり、Ｙ軸方向に関して、相互に変位することが防止される。したがって、プラグコネクタ１とリセプタクルコネクタ１０１とは嵌合が完了した状態で確実にロックされるので、嵌合が不必要に解除されることがない。
【００６１】
なお、本実施の形態においては、ターミナル１５１の接触開口１５７として、幅狭部１５７ｂの長手方向両側に幅広部１５７ａ及び絞り部１５７ｃが形成されている例についてのみ説明したが、プラグコネクタ１のスライド方向前側に位置する幅広部１５７ａ及び絞り部１５７ｃを、幅狭部１５７ｂと同様の幅を有する開口に変更することもできる。
【００６２】
このように、本実施の形態において、プラグコネクタ１は、ハウジング１１と、ハウジング１１に保持されるシグナルピン５１とを備え、ハウジング１１は、平板状の縦枠部１２と、縦枠部１２の下面１２ｂに開口する接触部収容開口１５とを含み、シグナルピン５１は、本体部５３と、本体部５３の前端に接続され、下方に突出するＵ字状の形状を有するシグナル接触部５４と、シグナル接触部５４の前端に接続された先端部５５とを含み、シグナル接触部５４は、下方に向いて延出する一対の脚部５４ａと、脚部５４ａの下端を連結する底部５４ｂとを含み、本体部５３及び先端部５５は縦枠部１２に一体的に接続されて保持され、シグナル接触部５４は接触部収容開口１５内に収容され、底部５４ｂは縦枠部１２の下面１２ｂより下方に突出する。
【００６３】
また、シグナルピン５１は、板厚方向に屈曲した金属板から成る。さらに、底部５４ｂは、左右両側から幅方向外側に向けて突出する突起５４ｃを含んでいる。さらに、シグナルピン５１は、脚部５４ａがターミナル１５１と接触する。さらに、一対の脚部５４ａの一方は他方よりも幅広の主接触部５４ａ１である。さらに、本体部５３及び先端部５５のいずれか一方であって、主接触部５４ａ１に近い方には幅広部５６が形成されている。さらに、ハウジング１１に保持されるプラグシェル７１を更に備え、ハウジング１１は一対の縦枠部１２の長手方向両端を連結する一対の横枠部１４を含み、プラグシェル７１は一対のロック部７２を含み、ロック部７２の少なくとも一部は横枠部１４から外方に突出する。
【００６４】
これにより、プラグコネクタ１の厚さ方向（Ｚ軸方向）の寸法を小さくすることができるとともに、シグナルピン５１の保持及び位置決めを確実なものとすることができる。また、シグナルピン５１がターミナル１５１と確実に係合し、シグナルピン５１とターミナル１５１との接触状態が確実に維持され、プラグコネクタ１とリセプタクルコネクタ１０１との嵌合状態が確実に維持される。さらに、製造が容易で、構成が簡素でコストが低く、小型でありながら、信頼性を高めることができる。
【００６５】
なお、本開示は一例にすぎず、本開示の趣旨を保った適宜変更であって当業者が容易に想到し得るものは本開示の範囲に含まれる。図面で示す各部の幅、厚さ及び形状等は模式的に表されており、本開示の解釈を限定するものではない。
【００６６】
また、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００６７】
本開示は、コネクタ、相手コネクタ、およびそれらのコネクタ組立体に適用することができる。
【符号の説明】
【００６８】
１    プラグコネクタ
１１、１１１、８１１    ハウジング
１２、１１２、１７５    縦枠部
１２ａ、１４ａ、１１２ａ、１１４ａ    上面
１２ｂ、１４ｂ、１１２ｂ、１１４ｂ    下面
１３    中央開口
１４、１７６    横枠部
１５    接触部収容開口
１６    凸部
５１    シグナルピン
５１Ａ    第１シグナルピン
５１Ｂ    第２シグナルピン
５２、１５２    接続部
５３、７６ａ、１５３    本体部
５４    シグナル接触部
５４ａ    脚部
５４ａ１    主接触部
５４ｂ    底部
５４ｃ    突起
５５、１５５    先端部
５６、１５７ａ    幅広部
６１、１６１    キャリア
６２、１６２    接続腕
６２ａ、１６２ａ    切断部
７１    プラグシェル
７２    ロック部
７２ａ    ロック本体部
７２ｂ    腕部
７２ｃ    ロックばね片
７２ｄ    ロック突起
７２ｅ、７６ｃ、１１３    開口
７２ｆ    湾曲部
７２ｇ    凹空間
７２ｈ、８１２    底板部
７３、１７３    基板接続部
７３ａ、１７３ａ    中間部
７３ｂ、１７３ｂ    接続板部
７５、１１６    連結部
７６    支持板部
９１    第１基板
９２    補強層
１０１    リセプタクルコネクタ
１１３ａ    ロック収容開口
１１３ｂ    端子収容開口
１１４    外側横枠部
１１５    内側横枠部
１５１    ターミナル
１５１Ａ    第１ターミナル
１５１Ｂ    第２ターミナル
１５４    ターミナル接触部
１５５ａ    先端突起
１５６    開口腕部
１５６ａ    幅広腕部
１５６ｂ    幅狭腕部
１５６ｃ    傾斜腕部
１５７    接触開口
１５７ｂ    幅狭部
１５７ｃ    絞り部
１７１    リセプタクルシェル
１７２    ロック受部
１７２ａ    当接壁部
１７２ｂ    本係止受部
１７２ｃ    仮係止受部
１７２ｄ    覆部
１７２ｅ    ガイド部
１９１    第２基板
８１３    矩形孔
８５１    端子
８５３    突出部
【図１】
2019129137.tif 000003
【図２】
2019129137.tif 000004
【図３】
2019129137.tif 000005
【図４】
2019129137.tif 000006
【図５】
2019129137.tif 000007
【図６】
2019129137.tif 000008
【図７】
2019129137.tif 000009
【図８】
2019129137.tif 000010
【図９】
2019129137.tif 000011
【図１０】
2019129137.tif 000012
【図１１】
2019129137.tif 000013
【図１２】
2019129137.tif 000014
【図１３】
2019129137.tif 000015
【図１４】
2019129137.tif 000016
【図１５】
2019129137.tif 000017
【図１６】
2019129137.tif 000018
【図１７】
2019129137.tif 000019
【図１８】
2019129137.tif 000020
【図１９】
2019129137.tif 000021
【図２０】
2019129137.tif 000022
【図２１】
2019129137.tif 000023
【図２２】
2019129137.tif 000024
【図２３】
2019129137.tif 000025
【図２４】
2019129137.tif 000026
【図２５】
2019129137.tif 000027
【図２６】
2019129137.tif 000028
【図２７】
2019129137.tif 000029
【図２８】
2019129137.tif 000030